(57)【要約】      （修正有）【課題】携帯用オーディオ機器にて再生される音声が、車輌側オーディオ機器のスピーカを介して聴取可能となると共に、複数種類の携帯用電子機器を同時に充電することが可能なトランスミッター装置を提供する。【解決手段】車輌内に配装されたシガーライターソケットに接続されるアダプタ３と、携帯用オーディオ機器が接続される丸型イヤホン入力プラグ１０とを備え、携帯用オーディオ機器からの出力音声信号を、車載された車輌側オーディオ機器が受信可能な所定波長の無線信号として発信するトランスミッター装置１において、携帯電話機が接続される携帯電話機充電プラグ１１と、デジタルカメラが接続されるデジタルカメラ充電プラグ１２と、ＵＳＢ型充電プラグ１３とを備え、各充電プラグ１１〜１３からの出力電圧を所定電圧とする電圧制御部５を内蔵する。【選択図】図１
0003112888.tif 000002
【実用新案登録請求の範囲】
【請求項１】
車輌内に配装されたシガーライターソケットに接続されるアダプタと、
携帯用オーディオ機器が接続される音声入力端子とを備え、
携帯用オーディオ機器からの出力音声信号を、車載された車輌側オーディオ機器が受信可能な所定波長の無線信号として発信するトランスミッター装置において、
携帯電話機が接続される充電用出力端子と、デジタルカメラが接続される充電用出力端子と、ＵＳＢ型の充電用出力端子とを備え、
各充電用出力端子からの出力電圧を所定電圧とする電圧制御手段を内蔵したことを特徴とするトランスミッター装置。
【請求項２】
音声入力端子に接続される携帯用オーディオ機器がＭＰ３プレーヤーであって、
該ＭＰ３プレーヤーが、ＵＳＢ型の充電用出力端子に接続可能である請求項１記載のトランスミッター装置。
【考案の詳細な説明】
【技術分野】
【０００１】
本考案は、車輌内に配装されたシガーライターソケットに接続して用いられ、携帯用オーディオ機器からの出力音声信号を、車載された車輌側オーディオ機器が受信可能な所定波長の無線信号として発信するトランスミッター装置に関する。
【背景技術】
【０００２】
車輌内において、ＣＤ／ＭＤ／ＭＰ３プレーヤーやオーディオ機能を有する携帯電話機などの携帯用オーディオ機器を使用する際には、交通安全上、他車輌のクラクションや踏み切り音などを聞き逃さないために、通常装着するヘッドホンやイヤホンから耳が開放されることが望まれている。そこで、特許文献１、２では、車輌内に配装されたシガーライターソケットを電源とするトランスミッター装置が提案されている。かかる装置は、携帯用オーディオ機器と接続されて、携帯用オーディオ機器からの出力音声信号を、車載された車輌側オーディオ機器が受信可能な所定波長の無線信号として発信するものであり、これによって、イヤホンなどを用いることなく、車輌側オーディオ機器のスピーカを介して、携帯用オーディオ機器にて再生される音声を安全且つ快適に聴取することが可能となっている。
【０００３】
【特許文献１】特開２００２−５７５８８号公報
【特許文献２】特開２００２−１７８８５７号公報
【考案の開示】
【考案が解決しようとする課題】
【０００４】
ところで、車輌内に配装されるシガーライターソケットは、その数が極めて少数である場合が多いため、上述したトランスミッター装置を使用している間は、同様にシガーライターソケットに接続して用いられる、携帯電話機やデジタルカメラといった携帯用電子機器を充電するための車輌用充電器を使用できない場合があった。
【０００５】
本考案は、かかる問題点に鑑みてなされたものであり、携帯用オーディオ機器にて再生される音声が、車輌側オーディオ機器のスピーカを介して聴取可能となると共に、複数種類の携帯用電子機器を同時に充電することが可能なトランスミッター装置を提供するものである。
【課題を解決するための手段】
【０００６】
本考案は、車輌内に配装されたシガーライターソケットに接続されるアダプタと、
携帯用オーディオ機器が接続される音声入力端子とを備え、
携帯用オーディオ機器からの出力音声信号を、車載された車輌側オーディオ機器が受信可能な所定波長の無線信号として発信するトランスミッター装置において、
携帯電話機が接続される充電用出力端子と、デジタルカメラが接続される充電用出力端子と、ＵＳＢ（Universal Serial Bus）型の充電用出力端子とを備え、
各充電用出力端子からの出力電圧を所定電圧とする電圧制御手段を内蔵したことを特徴とするトランスミッター装置（請求項１）である。
【０００７】
かかる構成にあっては、トランスミッター装置の音声入力端子に、ＭＤプレーヤーやＭＰ３プレーヤーなどの携帯用オーディオ機器を接続して、音声を再生することにより、該携帯用オーディオ機器からトランスミッター装置へと音声信号が出力されて、かかる出力音声信号が、車載されたラジオなどの車輌側オーディオ機器へ無線信号として発信される。そして、該無線信号が、車輌側オーディオ機器にて受信され、該車輌側オーディオ機器のスピーカから出力されることにより、携帯用オーディオ機器にて再生される音声が直接耳により聴取可能となる。ここで、携帯用オーディオ機器にて再生される音声には、携帯用オーディオ機器にてデータ保存された音声に加えて、携帯電話機などによる通話時の音声も含まれる。
【０００８】
また、上記構成にあっては、携帯電話機やデジタルカメラ、ＵＳＢポートを有する携帯用電子機器（例えば、ＭＰ３プレーヤー）を、夫々専用の各充電用出力端子に接続することにより、電圧制御手段にて制御された所定電圧の出力電圧で、これら電子機器に電力が供給されることとなり、該電子機器の充電が夫々実行される。
【０００９】
ここで、本考案のトランスミッター装置において、音声入力端子に接続される携帯用オーディオ機器がＭＰ３プレーヤーであって、該ＭＰ３プレーヤーが、ＵＳＢ型の充電用出力端子に接続可能である構成が提案される（請求項２）。かかる構成にあっては、音声入力端子に接続され、音声信号を出力するＭＰ３プレーヤーに対して、さらに電力供給を行うことが可能である。
【考案の効果】
【００１０】
本考案のトランスミッター装置にあっては、携帯用オーディオ機器にて再生される音声を車輌側オーディオ機器のスピーカを介して聴取しつつ、複数種類の携帯用電子機器を同時に充電することが可能であるため、利便性に非常に優れていると共に、車輌用充電器を別個に所有する必要がないことから、経済的にも有利である。また、従来では、使用状況に応じて、トランスミッター装置と車輌用充電器とをシガーライターソケットに付け替える必要があったが、かかる面倒な作業が省略されることとなる。
【００１１】
また、本考案のトランスミッター装置にあっては、音声入力端子に接続され、音声信号を出力するＭＰ３プレーヤーに対して、電力供給を行うことが可能であるため、ＭＰ３プレーヤーを連続して使用することが可能であり、該ＭＰ３プレーヤーにて再生される音声を車輌内にて長時間継続して聴取することが可能である。
【考案を実施するための最良の形態】
【００１２】
本考案の実施形態を、以下の実施例に従って説明する。
本考案にかかるトランスミッター装置１は、車輌内に配装されたシガーライターソケット（図示省略）に接続して用いられるものであって、図１に示すように、シガーライターソケットに挿脱可能に嵌合されるアダプタ３と、該アダプタ３と一体的に形成された基体２と、該基体２から延出する四本の電気コード６〜９と、該電気コード６〜９の先端に夫々配設されたプラグ１０〜１３から構成されている。
【００１３】
基体２には、図１に示されているように、携帯用オーディオ機器からの出力音声信号を、車載された車輌側オーディオ機器が受信可能な所定波長の無線信号として、該車輌側オーディオ機器へと発信する無線発信部４と、シガーライターソケットからの電圧を制御して、各プラグ１０〜１３からの出力電圧を所定電圧とする電圧制御部５とが夫々内蔵されている。なお、この電圧制御部５により、本考案にかかる各充電用出力端子からの出力電圧を所定電圧とする電圧制御手段が構成される。
【００１４】
また、基体２からは、無線発信部４と電気的に連繋する入力用電気コード６が延出しており、該入力用電気コード６の先端には、携帯用オーディオ機器が接続される丸型イヤホン入力プラグ１０が配設されている。なお、この丸型イヤホン入力プラグ１０により、本考案にかかる携帯用オーディオ機器が接続される音声入力端子が構成される。
【００１５】
同様にして、基体２からは、電圧制御部５と電気的に連繋する第一充電用電気コード７、第二充電用電気コード８及び第三充電用電気コード９が夫々延出している。第一充電用電気コード７の先端には、携帯電話機が接続される携帯電話機充電プラグ１１が配設されている。また、第二充電用電気コード８の先端には、デジタルカメラが接続されるデジタルカメラ充電プラグ１２が配設されている。さらに、第三充電用電気コード９の先端には、ＵＳＢ型充電プラグ１３が配設されている。なお、本実施例にかかる携帯電話機充電プラグ１１により、本考案にかかる携帯電話機が接続される充電用出力端子が構成される。また、デジタルカメラ充電プラグ１２により、本考案にかかるデジタルカメラが接続される充電用出力端子が構成される。さらに、ＵＳＢ型充電プラグ１３により、本考案にかかるＵＳＢ型の充電用出力端子が構成される。
【００１６】
かかる構成にあっては、入力用電気コード６の先端に配設された丸型イヤホン入力プラグ１０に、例えば、ＭＰ３プレーヤーの音声出力端子（イヤホンジャック）を連結させることによって、該ＭＰ３プレーヤーと前記無線発信部４とが電気的に接続する。これにより、ＭＰ３プレーヤーからの出力音声信号が、入力用電気コード６を介して、無線発信部４に伝達することとなり、ここで車載された車輌側オーディオ機器が受信可能な所定波長の無線信号に変換されて、該車輌側オーディオ機器（例えば、ラジオ）へと発信される。そして、かかる無線信号が、車輌側オーディオ機器に受信されることによって、ＭＰ３プレーヤーにて再生される音声が、該車輌側オーディオ機器のスピーカから聴取可能となる。
【００１７】
また、かかる構成にあっては、例えば、第二充電用電気コード８の先端に配設されたデジタルカメラ充電プラグ１２に、デジタルカメラの充電用入力端子を連結させることで、該デジタルカメラと前記電圧制御部５とが電気的に接続する。これにより、該電圧制御部５において所定電圧に制御された出力電圧で、第二充電用電気コード８を介して、デジタルカメラのバッテリ部には電力が供給されることとなり、かかるデジタルカメラの充電が行われる。ここで、同様にして、第一充電用電気コード７の先端に配設された携帯電話機充電プラグ１１に、携帯電話機の充電用入力端子を連結させることで、デジタルカメラと同時に、携帯電話機の充電も行うことが可能である。
【００１８】
さらに、かかる構成にあっては、入力用電気コード６の先端に配設された丸型イヤホン入力プラグ１０に、ＭＰ３プレーヤーのイヤホンジャックを連結させると共に、第三充電用電気コード９の先端に配設されたＵＳＢ型充電プラグ１３に、当該ＭＰ３プレーヤーの充電用入力端子であるＵＳＢポートを連結させることにより、ＭＰ３プレーヤーと前記無線発信部４、及び、ＭＰ３プレーヤーと前記電圧制御部５が夫々電気的に接続する。これにより、無線発信部４へ音声信号を出力するＭＰ３プレーヤーには、基体２の電圧制御部５において所定電圧に制御された出力電圧で電力が継続的に供給されて、連続使用が可能となることから、ＭＰ３プレーヤーから再生される音声を、車輌側オーディオ機器のスピーカから長時間継続して聴取することが可能となる。
【００１９】
以上のように実施例を説明したが、本考案は、上記実施例の構成に限定されるものではなく、本考案の趣旨の範囲内において、トランスミッター装置１の構成を適宜変更することが可能である。例えば、本実施例において、携帯電話機と電圧制御部５とを電気的に接続する第一充電用電気コード７の先端に公知品の中継コネクタを設け、携帯電話機の充電用入力端子に連結される携帯電話機充電プラグ１１を、かかる中継コネクタに着脱可能に配設するようにしてもよい。かかる構成にあっては、中継コネクタに接続される携帯電話機充電プラグ１１を、充電対象である携帯電話機の種類に応じて、所定のプラグ形状のものに取り替えることで、複数種類の携帯電話機の充電が可能となる。
【図面の簡単な説明】
【００２０】
【図１】本考案にかかるトランスミッター装置１の概略図である。
【符号の説明】
【００２１】
１  トランスミッター装置
２  基体
３  アダプタ
４  無線発信部
５  電圧制御部（電圧制御手段）
６  入力用電気コード
７  第一充電用電気コード
８  第二充電用電気コード
９  第三充電用電気コード
１０  丸型イヤホン入力プラグ（音声入力端子）
１１  携帯電話機充電プラグ（携帯電話機が接続される充電用出力端子）
１２  デジタルカメラ充電プラグ（デジタルカメラが接続される充電用出力端子）
１３  ＵＳＢ型充電プラグ（ＵＳＢ型の充電用出力端子）
【図１】
0003112888.tif 000003